(57)【要約】【解決手段】  第一の端部ブームセグメント（１０ａ）と、第二の端部ブームセグメント（１０ｂ）と、両者の間に順番に設けられた複数の中間ブームセグメント（１０ｃ）と、を含み、第一の端部ブームセグメントとそれに隣接する中間ブームセグメントとの間、第二の端部ブームセグメントとそれに隣接する中間ブームセグメントとの間、及び、隣接する２つの中間ブームセグメント同士の間は、端部がヒンジ軸で連接されており、第一の端部ブームセグメントとそれに隣接する中間ブームセグメントとの間、第二の端部ブームセグメントとそれに隣接する中間ブームセグメントとの間、及び、隣接する２つの中間ブームセグメント同士の間に、さらに調節構造がそれぞれ設けられており、調節構造が、一方の前記ブームセグメントに設けられた軸方向孔（１１）と、軸方向孔内に挿入された調節柱（３０）と、軸方向孔内で調節柱との間に設けられた弾性圧縮部材と、を含む。【選択図】  図２
2019519144.tif 000002
【特許請求の範囲】
【請求項１】
マイクブーム構造であって、第一の端部ブームセグメントと、第二の端部ブームセグメントと、前記第一の端部ブームセグメントと前記第二の端部ブームセグメントとの間に順番に設けられた複数の中間ブームセグメントと、を含み、
前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間は、端部がヒンジ軸で連接されており、
前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間に、さらに調節構造がそれぞれ設けられており、
前記調節構造が、一方の前記ブームセグメントに設けられた軸方向孔と、前記軸方向孔内に挿入された調節柱と、前記軸方向孔内で前記調節柱との間に設けられた弾性圧縮部材と、を含む、
ことを特徴とするマイクブーム構造。
【請求項２】
前記第一の端部ブームセグメントに前記軸方向孔が設けられており、前記軸方向孔が、前記中間ブームセグメントに近い端から反対側の端に向かって延び、前記中間ブームセグメントにおける軸方向孔が、前記第一の端部ブームセグメントから遠い端から反対側の端に向かって延びており、又は、前記第二の端部ブームセグメントに軸方向孔が設けられており、前記軸方向孔が、前記中間ブームセグメントに近い端から反対側の端に向かって延び、前記中間ブームセグメントにおける軸方向孔が、前記第二の端部ブームセグメントから遠い端から反対側の端に向かって延びている、
ことを特徴とする請求項１に記載のマイクブーム構造。
【請求項３】
前記調節柱は、前記弾性圧縮部材から遠い端が、弧面状をなす凸部であり、前記中間ブームセグメントの端部において、前記調節柱に対応した位置には、弧面状をなす凹部が設けられている、
ことを特徴とする請求項２に記載のマイクブーム構造。
【請求項４】
前記調節柱が中空管状をなしている、
ことを特徴とする請求項３に記載のマイクブーム構造。
【請求項５】
前記第一の端部ブームセグメントと前記第二の端部ブームセグメントとのそれぞれ前記中間ブームセグメントに近い端に、及び、前記隣接する中間ブームセグメントの両端に、２つの接続ラグがそれぞれ間隔を空けて設けられており、２つの前記接続ラグが前記軸方向孔の対向する両側に設けられており、前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間は、隣接する２つの前記接続ラグの間に、ヒンジ軸がそれぞれ連接されている、
ことを特徴とする請求項１から４のいずれか１項に記載のマイクブーム構造。
【請求項６】
前記ヒンジ軸が、一方の前記接続ラグにおける貫通孔の直径よりも小さくて、他方の前記接続ラグにおける貫通孔の直径よりも大きい直径を有する円柱ピンである、
ことを特徴とする請求項５に記載のマイクブーム構造。
【請求項７】
外側の前記接続ラグにある貫通孔の直径が、内側の前記接続ラグにある貫通孔の直径よりも小さい、
ことを特徴とする請求項６に記載のマイクブーム構造。
【請求項８】
前記ヒンジ軸が、その直径が一方の前記接続ラグにおける貫通孔の直径よりも小さくて、他方の前記接続ラグにおける貫通孔の直径よりも大きいロッド部分を有するＴ字状のピンであり、前記接続ラグと前記ブームセグメントの外側面との間に、前記ピンの大きい方の端を収容するための収容部がさらに設けられている、
ことを特徴とする請求項５に記載のマイクブーム構造。
【請求項９】
前記中間ブームセグメントにおける軸方向孔が、貫通した段付き貫通孔であり、前記弾性圧縮部材及び前記調節柱が、共に前記段付き貫通孔の大孔部に設けられている、
ことを特徴とする請求項１に記載のマイクブーム構造。
【請求項１０】
前記弾性圧縮部材がスプリングである、
ことを特徴とする請求項１に記載のマイクブーム構造。
【発明の詳細な説明】
【技術分野】
【０００１】
本発明は、電気音響製品の技術分野に属し、特に、マイクブーム構造に関する。
【背景技術】
【０００２】
ヘッドセットは、仕事、ゲームや日常生活でよく使われているものであるが、従来のヘッドセットのマイクブームは、曲げられたり折り畳まれたりすることのできないタイプのものになっており、マイクブームにおけるマイクと利用者との間の距離が調節できず、異なる消費者グループに適合できないため、使い勝手が良くない。
【発明の概要】
【発明が解決しようとする課題】
【０００３】
本発明は、マイクブームにおけるマイクと利用者との間の距離が調節できないという問題を解決するために、曲げたり折り畳んだりすることのできるマイクブーム構造を提供することを目的とする。
【課題を解決するための手段】
【０００４】
本発明は、下記のように実現される。
マイクブーム構造であって、第一の端部ブームセグメントと、第二の端部ブームセグメントと、前記第一の端部ブームセグメントと前記第二の端部ブームセグメントとの間に順番に設けられた複数の中間ブームセグメントと、を含み、
前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間は、端部がヒンジ軸で連接されており、
前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間に、さらに調節構造がそれぞれ設けられており、
前記調節構造が、一方の前記ブームセグメントに設けられた軸方向孔と、前記軸方向孔内に挿入された調節柱と、前記軸方向孔内で前記調節柱との間に設けられた弾性圧縮部材と、を含む。
【０００５】
好ましくは、前記第一の端部ブームセグメントに前記軸方向孔が設けられており、前記軸方向孔が、前記中間ブームセグメントに近い端から反対側の端に向かって延び、前記中間ブームセグメントにおける軸方向孔が、前記第一の端部ブームセグメントから遠い端から反対側の端に向かって延びており、又は、前記第二の端部ブームセグメントに軸方向孔が設けられており、前記軸方向孔が、前記中間ブームセグメントに近い端から反対側の端に向かって延び、前記中間ブームセグメントにおける軸方向孔が、前記第二の端部ブームセグメントから遠い端から反対側の端に向かって延びている。
【０００６】
好ましくは、前記調節柱は、前記弾性圧縮部材から遠い端が、弧面状をなす凸部であり、前記中間ブームセグメントの端部において、前記調節柱に対応した位置には、弧面状をなす凹部が設けられている。
【０００７】
好ましくは、前記調節柱が中空管状をなしている。
【０００８】
好ましくは、前記第一の端部ブームセグメントと前記第二の端部ブームセグメントとのそれぞれ前記中間ブームセグメントに近い端に、及び、前記隣接する中間ブームセグメントの両端に、２つの接続ラグがそれぞれ間隔を空けて設けられており、２つの前記接続ラグが前記軸方向孔の対向する両側に設けられており、前記第一の端部ブームセグメントとそれに隣接する前記中間ブームセグメントとの間、前記第二の端部ブームセグメントとそれに隣接する前記中間ブームセグメントとの間、及び、隣接する２つの前記中間ブームセグメント同士の間は、隣接する２つの前記接続ラグの間に、ヒンジ軸がそれぞれ連接されている。
【０００９】
好ましくは、前記ヒンジ軸が、一方の前記接続ラグにおける貫通孔の直径よりも小さくて、他方の前記接続ラグにおける貫通孔の直径よりも大きい直径を有する円柱ピンである。
【００１０】
好ましくは、外側の前記接続ラグにある貫通孔の直径が、内側の前記接続ラグにある貫通孔の直径よりも小さい。
【００１１】
好ましくは、前記ヒンジ軸が、その直径が一方の前記接続ラグにおける貫通孔の直径よりも小さくて、他方の前記接続ラグにおける貫通孔の直径よりも大きいロッド部分を有するＴ字状のピンであり、前記接続ラグと前記ブームセグメントの外側面との間に、前記ピンの大きい方の端を収容するための収容部がさらに設けられている。
【００１２】
好ましくは、前記中間ブームセグメントにおける軸方向孔が、貫通した段付き貫通孔であり、前記弾性圧縮部材及び前記調節柱が、共に前記段付き貫通孔の大孔部に設けられている。
【００１３】
好ましくは、前記弾性圧縮部材がスプリングである。
【発明の効果】
【００１４】
上記技術案を用いているため、本発明によるマイクブーム構造は、第一の端部ブームセグメントと、第二の端部ブームセグメントと、両者の間に順番に設けられた複数の中間ブームセグメントと、を含み、第一の端部ブームセグメントとそれに隣接する中間ブームセグメントとの間、第二の端部ブームセグメントとそれに隣接する中間ブームセグメントとの間、及び、隣接する２つの中間ブームセグメント同士の間は、端部がヒンジ軸で連接されており、第一の端部ブームセグメントとそれに隣接する中間ブームセグメントとの間、第二の端部ブームセグメントとそれに隣接する中間ブームセグメントとの間、及び、隣接する２つの中間ブームセグメント同士の間に、調節構造がさらに設けられており、当該調節構造が、一方のブームセグメントに設けられた軸方向孔と、軸方向孔内に挿入された調節柱と、軸方向孔内で調節柱との間に設けられた弾性圧縮部材と、を含む。
【００１５】
一方のブームセグメントに軸方向孔が設けられ、軸方向孔内に調節柱が設けられ、軸方向孔内で調節柱との間に弾性圧縮部材が設けられているため、弾性圧縮部材の弾性力の下で、調節柱の端部が、隣接するブームセグメントの端部に押し付けられることで、隣接する２つのブームセグメントの位置決め及び固定が実現されることにより、マイクブーム構造の全体の屈曲、及び、一定の形状にする固定接続が実現され、利用する時、必要に応じてマイクブームにおけるマイクと利用者との間の距離を調節することができ、利用しない時、マイクブーム構造を曲げたり一定の形状に折り畳むことができる。
【００１６】
本実施例によるマイクブーム構造は、曲げたり折り畳んだりすることができるため、マイクブームにおけるマイクと利用者との間の距離が調節できないという問題を解決した。
【図面の簡単な説明】
【００１７】
【図１】本発明の実施例によるマイクブーム構造の屈曲状態の模式図である。
【図２】本発明の実施例によるマイクブーム構造の屈曲状態の局所断面模式図である。
【図３】本発明の実施例によるマイクブーム構造の中間ブームセグメントの模式図である。
【図４】本発明の実施例によるマイクブーム構造の真直状態の模式図である。
【図５】本発明の実施例によるマイクブーム構造の真直状態の局所断面模式図である。
【図６】本発明の実施例によるマイクブーム構造の隣接する中間ブームセグメントの分解構造模式図である。
【発明を実施するための形態】
【００１８】
本発明の目的、技術案及び利点がさらに明確になるように、以下、図面及び実施例を参照しながら、本発明をさらに詳しく説明する。ここに記載された具体的な実施例は、あくまでも本発明を解釈するためのものにすぎず、本発明を限定するものではないと理解すべきである。
【００１９】
図１から図６より分かるように、当該マイクブーム構造は、第一の端部ブームセグメント１０ａと、第二の端部ブームセグメント１０ｂと、第一の端部ブームセグメント１０ａと第二の端部ブームセグメント１０ｂとの間に順番に設けられた複数の中間ブームセグメント１０ｃと、を含み、第一の端部ブームセグメント１０ａとそれに隣接する中間ブームセグメント１０ｃとの間、第二の端部ブームセグメント１０ｂとそれに隣接する中間ブームセグメント１０ｃとの間、及び、隣接する２つの中間ブームセグメント１０ｃ同士の間は、端部がヒンジ軸で連接されており、第一の端部ブームセグメント１０ａとそれに隣接する中間ブームセグメント１０ｃとの間、第二の端部ブームセグメント１０ｂとそれに隣接する中間ブームセグメント１０ｃとの間、及び、隣接する２つの中間ブームセグメント１０ｃ同士の間に、さらに調節構造がそれぞれ設けられており、当該調節構造が、一方のブームセグメントに設けられた軸方向孔１１と、軸方向孔１１内に挿入された調節柱３０と、軸方向孔１１内で調節柱３０との間に設けられた弾性圧縮部材と、を含み、本実施例において、弾性圧縮部材がスプリング４０であるが、勿論、ゴム柱等の他の弾性を有する部材を選択してもよい。
【００２０】
取り付ける際に、第一の端部ブームセグメント１０ａにコネクタが設けられており、コネクタがヘッドバンドに挿入されてマイクブームとヘッドセットとの接続が実現され、一方のブームセグメントに軸方向孔１１が設けられ、軸方向孔１１内に調節柱３０が設けられ、軸方向孔１１と調節柱３０との間に弾性圧縮部材が設けられているため、弾性圧縮部材の弾性力を受けて、調節柱３０の端部が隣接するブームセグメントの端部に押し付けられることで、隣接する２つのブームセグメントの位置決め及び固定が実現される。これにより、マイクブーム構造の全体の屈曲、及び、一定の形状にする固定接続が実現され、利用する時、必要に応じてマイクブームにおけるマイクと利用者との間の距離を調節することができ、利用しない時、マイクブーム構造を曲げたり一定の形状に折り畳んだりすることができる。本実施例によるマイクブーム構造は、曲げたり折り畳んだりすることができるため、マイクブームにおけるマイクと利用者との間の距離が調節できないという問題を解決した。
【００２１】
本実施例において、第一の端部ブームセグメント１０ａに軸方向孔１１が設けられており、当該軸方向孔１１が、中間ブームセグメント１０ｃに近い端から反対側の端に向かって延び、中間ブームセグメント１０ｃにおける軸方向孔１１が、第一の端部ブームセグメント１０ａから遠い端から反対側の端に向かって延びている。
【００２２】
勿論、第二の端部ブームセグメント１０ｂに軸方向孔１１が設けられ、当該軸方向孔１１が、中間ブームセグメント１０ｃに近い端から反対側の端に向かって延び、中間ブームセグメント１０ｃにおける軸方向孔１１が、第二の端部ブームセグメント１０ｂから遠い端から反対側の端に向かって延びるようにしてもよい。
【００２３】
調節柱３０は、弾性圧縮部材から遠い端が、弧面状をなす凸部であり、中間ブームセグメント１０ｃの端部において、調節柱３０に対応した位置には、弧面状をなす凹部が設けられていることで、隣接する２つのブームセグメントの間の位置決め及び固定を強化することができる。勿論、調節柱３０の弾性圧縮部材から遠い端が、凹んだ弧面状に設けられてもよく、こうした場合、調節柱３０の端部形状に適応するように、対応する中間ブームセグメント１０ｃの端部が、凸形の弧面状に設けられる。
【００２４】
本実施例において、第一の端部ブームセグメント１０ａと第二の端部ブームセグメント１０ｂとのそれぞれ中間ブームセグメント１０ｃに近い端に、及び、隣接する中間ブームセグメント１０ｃの両端に、２つの接続ラグ１２がそれぞれ間隔を空けて設けられており、前記接続ラグ１２が軸方向孔１１の対向する両側に設けられており、第一の端部ブームセグメント１０ａとそれに隣接する中間ブームセグメント１０ｃとの間、第二の端部ブームセグメント１０ｂとそれに隣接する中間ブームセグメント１０ｃとの間、及び、隣接する２つの中間ブームセグメント１０ｃ同士の間は、隣接する２つの接続ラグ１２の間に、ヒンジ軸２０がそれぞれ連接されており、当該ヒンジ軸２０が、一方の接続ラグ１２における貫通孔の直径よりも小さくて、他方の接続ラグ１２における貫通孔の直径よりも大きい直径を有する円柱ピンである。
【００２５】
具体的に、外側の接続ラグ１２にある貫通孔の直径が内側の接続ラグ１２にある貫通孔の直径よりも大きくなっており、こうした場合、マイクブーム構造の外観性能を向上させることができ、より美観的になる。
【００２６】
勿論、当該ヒンジ軸２０が、その直径が一方の接続ラグ１２における貫通孔の直径よりも小さくて、他方の接続ラグ１２における貫通孔の直径よりも大きいロッド部分を有するＴ字状のピンであってもよく、接続ラグ１２とブームセグメントの外側面との間には、ブームセグメントの外側面の外にピンが露出してその外観性能に影響を与えてしまうことを防止するために、ピンの大きい方の端を収容するための収容部がさらに設けられている。
【００２７】
本実施例において、中間ブームセグメント１０ｃにおける軸方向孔１１が、貫通した段付き貫通孔であり、弾性圧縮部材及び調節柱３０が、共に段付き貫通孔の大孔部に設けられており、こうした場合、軸方向孔１１の中から配線し易くなり、取り付けも容易になる。
【００２８】
本実施例において、調節柱３０が中空管状をなしており、材料を節約することができる一方、重量を低減することができる。
【００２９】
上記したのは、あくまでも本発明の好ましい実施例であり、本発明を限定するものではなく、本発明の精神及び原則内になされたいかなる修正、均等的置換及び改良等、いずれも本発明の保護範囲内に含まれるべきである。
【符号の説明】
【００３０】
１０ａが第一の端部ブームセグメント、１０ｂが第二の端部ブームセグメント、１０ｃが中間ブームセグメント、１１が軸方向孔、１２が接続ラグ、２０がヒンジ軸、３０が調節柱、４０がスプリングである。
【図１】
2019519144.tif 000003
【図２】
2019519144.tif 000004
【図３】
2019519144.tif 000005
【図４】
2019519144.tif 000006
【図５】
2019519144.tif 000007
【図６】
2019519144.tif 000008
【国際調査報告】
2019519144.tif 000009
2019519144.tif 000010
2019519144.tif 000011
2019519144.tif 000012
2019519144.tif 000013
2019519144.tif 000014